【手続補正書】
【提出日】平成15年11月12日(2003.11.12)
【手続補正１】
【補正対象書類名】明細書
【補正対象項目名】特許請求の範囲
【補正方法】変更
【補正の内容】
【特許請求の範囲】
【請求項１】
電子写真画像形成装置本体に着脱可能なプロセスカートリッジにおいて、
電子写真感光体と、
現像剤を用いて前記電子写真感光体に形成された静電潜像を現像するための現像部材と、
前記現像部材を支持する第１枠体部と、前記現像部材でもって前記静電潜像の現像に用いられる現像剤を収納するための現像剤収納部を有する第２枠体部と、を有する現像枠体と、
前記装置本体でもって前記プロセスカートリッジ内に存在する現像剤の残量を検出するために、間隔を有して配置された第１導電部と第２導電部と、
前記プロセスカートリッジが前記装置本体に装着された際に前記装置本体と電気的に接続する、前記第２枠体部に配置されたカートリッジ接点と、
前記カートリッジ接点と電気的に接続している、前記第２枠体部に配置された接点電極と、
前記第１導電部と電気的に接続している、前記第１枠体部に配置された第１導電部接点と、を有し、
前記第１導電部接点と前記接点電極は、前記第１枠体部と第２枠体部との結合部で接触していることを特徴とするプロセスカートリッジ。
【請求項２】
前記第１枠体部と第２枠体部は、長手方向に沿って超音波溶着でもって結合され、前記超音波溶着部は、長手方向に間隔を有して並んで配置された第１溶着部と第２溶着部とを有し、前記第１導電部接点と前記接点電極は、前記間隔部分に配置されている請求項１のプロセスカートリッジ。
【請求項３】
前記カートリッジ接点は、前記プロセスカートリッジが前記装置本体に装着された際に前記第１導電部に印加するバイアスを前記装置本体から受けるための入力接点であり、前記プロセスカートリッジは更に、前記第１導電部と第２導電部間の静電容量に応じた電気信号を前記装置本体に伝達するための出力接点を有する請求項１又は２のプロセスカートリッジ。
【請求項４】
前記第１導電部接点は、前記第１導電部とは別体であり、前記第１枠体部に対して前記第１導電部とネジによって共締めされている請求項１のプロセスカートリッジ。
【請求項５】
前記第１導電部接点の先端は二股に分かれており、この二股に分かれている各々の先端は折り返され、又、この折り返されている先端には突起が設けられており、この突起の部分が前記接点電極と接触することによって前記第１導電部接点と接点電極とは電気的に接続する請求項４のプロセスカートリッジ。
【請求項６】
前記第１導電部と第２導電部は、前記第１枠体部に取り付けられている請求項１のプロセスカートリッジ。
【請求項７】
前記第１導電部接点は、前記第１枠体部と第２枠体部とに挟まれて圧縮された弾性シール部材によって囲まれている請求項２、４、５又は６のプロセスカートリッジ。
【請求項８】
電子写真画像形成装置本体に着脱可能なプロセスカートリッジにおいて、
電子写真感光体ドラムと、
現像剤を用いて前記電子写真感光体に形成された静電潜像を現像するための現像ローラと、
前記現像ローラを支持する第１枠体部と、前記現像ローラでもって前記静電潜像の現像に用いられる現像剤を収納するための現像剤収納部を有する第２枠体部と、を有する現像枠体と、
前記装置本体でもって前記プロセスカートリッジ内に存在する現像剤の残量を検出するために、間隔を有して配置される、前記第１枠体部に取り付けられた板状の第１導電部と第２導電部と、
前記プロセスカートリッジが前記装置本体に装着された際に前記第１導電部に印加するバイアスを前記装置本体から受けるための入力接点と、
前記入力接点から前記第１導電部にバイアスが印加された際に前記第１導電部と第２導電部間に発生する静電容量に応じた電気信号を、前記装置本体に伝達するための出力接点と、
前記入力接点と電気的に接続している、前記第２枠体部に配置された接点電極と、
前記第１導電部と電気的に接続している、前記第１枠体部に配置された第１導電部接点と、を有し、
前記入力接点及び前記出力接点は前記プロセスカートリッジの長手方向一端部に設けられており、前記第１枠体部と第２枠体部は長手方向に沿って超音波溶着でもって結合され、前記超音波溶着部は、長手方向に間隔を有して並んで配置された第１溶着部と第２溶着部とを有しており、又、前記第１導電部接点は前記第１枠体部と第２枠体部とに挟まれて圧縮されている弾性シール部材によって囲まれており、前記第１導電部接点と前記接点電極は、前記間隔部分に配置されていることを特徴とするプロセスカートリッジ。
【請求項９】
前記入力接点は、前記現像剤収納部の長手方向一端面に設けられており、前記出力接点は、前記第１枠体部の長手方向一端に取り付けられたエンドカバーから露出して設けられている請求項８のプロセスカートリッジ。
【請求項１０】
前記第１導電部接点は、前記第１導電部とは別体であり、前記第１枠体部に対して前記第１導電部とネジによって共締めされている請求項８のプロセスカートリッジ。
【請求項１１】
前記第１導電部接点の先端は二股に分かれており、この二股に分かれている各々の先端は折り返され、又、この折り返されている先端には突起が設けられており、この突起の部分が前記接点電極と接触することによって前記第１導電部接点と接点電極とは電気的に接続する請求項１０のプロセスカートリッジ。
【請求項１２】
電子写真画像形成装置本体に着脱可能なプロセスカートリッジにおいて、
電子写真感光体と、
現像剤を用いて前記電子写真感光体に形成された静電潜像を現像するための現像部材と、
前記現像部材を支持する第１枠体部と、前記現像部材でもって前記静電潜像の現像に用いられる現像剤を収納するための現像剤収納部を有する第２枠体部と、を有する現像枠体と、
前記装置本体でもって前記プロセスカートリッジ内に存在する現像剤の残量を検出するために、間隔を有して配置された第１導電部と第２導電部と、
前記プロセスカートリッジが前記装置本体に装着された際に前記装置本体と電気的に接続する、前記第１枠体部に配置された第１カートリッジ接点と、
前記第１カートリッジ接点と電気的に接続している、前記第１枠体部に配置された第１接点電極と、
前記第１導電部と電気的に接続している、前記第２枠体部に配置された第１導電部接点と、
を有し、前記第１導電部接点と前記第１接点電極は、前記第１枠体部と第２枠体部との結合部で接触していることを特徴とするプロセスカートリッジ。
【請求項１３】
前記プロセスカートリッジは更に、
前記現像剤収納部の蓋をなす第３枠体部と、
前記プロセスカートリッジが前記装置本体に装着された際に前記装置本体と電気的に接続する、前記第２枠体に配置された第２カートリッジ接点と、
前記第２カートリッジ接点と電気的に接続している、前記第２枠体部に配置された第２接点電極と、
前記第２導電部と電気的に接続している、前記第２枠体部に配置された第２導電部接点と、
を有し、前記第２導電部接点と前記第２接点電極は、前記第２枠体部と第３枠体部との結合部で接触している請求項１２のプロセスカートリッジ。
【請求項１４】
前記第１導電部と第２導電部は、前記第２枠体部に取り付けられている請求項１２のプロセスカートリッジ。
【請求項１５】
前記第１導電部と第２導電部は、所定の間隔を有して互いに組合わさった多数の凹凸形状とされる請求項１２のプロセスカートリッジ。
【請求項１６】
プロセスカートリッジが着脱可能であって、記録媒体に画像形成する電子写真画像形成装置において、
（ａ）本体カートリッジ接点と、
（ｂ）電子写真感光体と、
現像剤を用いて前記電子写真感光体に形成された静電潜像を現像するための現像部材と、
前記現像部材を支持する第１枠体部と、前記現像部材でもって前記静電潜像の現像に用いられる現像剤を収納するための現像剤収納部を有する第２枠体部と、を有する現像枠体と、
前記装置本体でもって前記プロセスカートリッジ内に存在する現像剤の残量を検出するために、間隔を有して配置された第１導電部と第２導電部と、
前記プロセスカートリッジが前記装置本体に装着された際に、前記本体カートリッジ接点と電気的に接続する、前記第２枠体部に配置されたカートリッジ接点と、
前記カートリッジ接点と電気的に接続している、前記第２枠体部に配置された接点電極と、
前記第１導電部と電気的に接続している、前記第１枠体部に配置された第１導電部接点と、を有し、
前記第１導電部接点と前記接点電極は、前記第１枠体と第２枠体との結合部分で接触しているプロセスカートリッジを取り外し可能に装着するための装着手段と、
を有することを特徴とする電子写真画像形成装置。
【請求項１７】
プロセスカートリッジが着脱可能であって、記録媒体に画像形成する電子写真画像形成装置において、
（ａ）本体入力接点と、
（ｂ）本体出力接点と、
（ｃ）電子写真感光体ドラムと、
現像剤を用いて前記電子写真感光体に形成された静電潜像を現像するための現像ローラと、
前記現像ローラを支持する第１枠体部と、前記現像ローラでもって前記静電潜像の現像に用いられる現像剤を収納するための現像剤収納部を有する第２枠体部と、を有する現像枠体と、
前記装置本体でもって前記プロセスカートリッジ内に存在する現像剤の残量を検出するために、間隔を有して配置される、前記第１枠体部に取り付けられた板状の第１導電部と第２導電部と、
前記プロセスカートリッジが前記装置本体に装着された際に前記第１導電部に印加するバイアスを前記本体入力接点から受けるための入力接点と、
前記入力接点から前記第１導電部にバイアスが印加された際に前記第１導電部と第２導電部間に発生する静電容量に応じた電気信号を、前記本体出力接点に伝達するための出力接点と、
前記入力接点と電気的に接続している、前記第２枠体部に配置された接点電極と、
前記第１導電部と電気的に接続している、前記第１枠体部に配置された第１導電部接点と、を有し、
前記入力接点及び前記出力接点は前記プロセスカートリッジの長手方向一端部に設けられており、前記第１枠体部と第２枠体部は長手方向に沿って超音波溶着でもって結合され、前記超音波溶着部は、長手方向に間隔を有して並んで配置された第１溶着部と第２溶着部とを有しており、又、前記第１導電部接点は前記第１枠体部と第２枠体部とに挟まれて圧縮された弾性シール部材によって囲まれており、前記第１導電部接点と前記接点電極は、前記間隔部分に配置されているプロセスカートリッジを取り外し可能に装着する装着手段と、
を有することを特徴とする電子写真画像形成装置。
【請求項１８】
プロセスカートリッジが着脱可能であって、記録媒体に画像形成する電子写真画像形成装置において、
（ａ）本体カートリッジ接点と、
（ｂ）電子写真感光体と、
現像剤を用いて前記電子写真感光体に形成された静電潜像を現像するための現像部材と、
前記現像部材を支持する第１枠体部と、前記現像部材でもって前記静電潜像の現像に用いられる現像剤を収納するための現像剤収納部を有する第２枠体部と、を有する現像枠体と、
前記装置本体でもって前記プロセスカートリッジ内に存在する現像剤の残量を検出するために、間隔を有して配置された第１導電部と第２導電部と、
前記プロセスカートリッジが前記装置本体に装着された際に前記本体カートリッジ接点と電気的に接続する、前記第１枠体部に配置されたカートリッジ接点と、
前記カートリッジ接点と電気的に接続している、前記第１枠体部に配置された接点電極と、
前記第１導電部と電気的に接続している、前記第２枠体部に配置された第１導電部接点と、
を有し、前記第１導電部接点と前記接点電極は、前記第１枠体部と第２枠体部との結合部で接触しているプロセスカートリッジを取り外し可能に装着するための装着手段と、
を有することを特徴とする電子写真画像形成装置。
【手続補正２】
【補正対象書類名】明細書
【補正対象項目名】００２２
【補正方法】変更
【補正の内容】
【００２２】
記録媒体２は、排出ローラ対３ｇ、３ｈ、３ｉで搬送し、反転経路３ｊを経由して排出トレイ６へと排出される。この排出トレイ６は、レーザービームプリンタＡの装置本体１４の上面に設けられている。なお、揺動可能なフラッパ３ｋを動作させ、排出ローラ対３ｍによって反転経路３ｊを介することなく記録媒体２を排出することもできる。本実施例では、上記ピックアップローラ３ｂ、搬送ローラ対３ｃ、３ｄ、レジストローラ対３ｅ、搬送ガイド３ｆ、排出ローラ対３ｇ、３ｈ、３ｉ及び排出ローラ対３ｍによって搬送手段３を構成している。


【手続補正３】
【補正対象書類名】明細書
【補正対象項目名】００３８
【補正方法】変更
【補正の内容】
【００３８】
本実施例では、第１カートリッジ接点２４ｂは、現像室（第１枠体部）１１の外部側面に取り付けられる。又、第２カートリッジ接点２５ｂは、現像剤収納容器（第２枠体部）１２の外部側面に取り付けられる。従って、検出用電極１８の第１導電部（出力側電極）２０は、現像剤収納容器１２から現像室１１にわたって接続されなければならない。


【手続補正４】
【補正対象書類名】明細書
【補正対象項目名】００４２
【補正方法】変更
【補正の内容】
【００４２】
つまり、現像剤収納容器１２と現像室１１との溶着固定部は、現像剤収納容器１２の長手方向に間隔を有して並んで配置された第１溶着部１２ｅと第２溶着部１２ｆとを有するよう構成される。そして、この間隔部分１２ｄに、第１導電部接点２２と接点部２４ａとの接触部が配置される。


【手続補正５】
【補正対象書類名】明細書
【補正対象項目名】００８７
【補正方法】変更
【補正の内容】
【００８７】
つまり、現像剤収納容器１２と現像室１１の溶着固定部は、長手方向に間隔を有して並んだ第１溶着部１１ｇと第２溶着部１１ｈとを有するよう構成される。そして、この間隔部１１ｆに、接点部５２ｃと折り返し部４２ａとの接触部が配置される。


【手続補正６】
【補正対象書類名】明細書
【補正対象項目名】００８９
【補正方法】変更
【補正の内容】
【００８９】
こうして各部品を組み込まれた現像室１１と現像剤収納容器１２が溶着により結合される。これによって、現像室１１に取り付けられた電極板（第１導電部接点）５２の接点部５２ｃと、現像剤収納容器１２に取り付けられた第１接点電極４２の折り返し部４２ａが接触し、第１導電部５０と第１接点電極４２が電気的に接続される。


【手続補正７】
【補正対象書類名】明細書
【補正対象項目名】００９３
【補正方法】変更
【補正の内容】
【００９３】
第１接点電極４２の他端に一体に設けられた第１カートリッジ接点（入力接点）４２ｂの構成、及びこの第１カートリッジ接点４２ｂから本体入力接点（第１本体カートリッジ接点）３０ａへの接続構成は実施例２と同様とされる。